(57)【要約】【課題】スタンド部に対して表示部の取付角度を変えることができるとともに、表示部の角度が表示部の自重などによって変わることなく確実に保持できるようにする。【解決手段】表示部１を支持するためのスタンド部７に固定する固定プレート１０に後方に傾斜した傾斜面１４Ａから成る固定部１３Ａと、前方に傾斜した傾斜面１４Ｂから成る固定部１３Ｂと、固定プレート１０と同一平面上に位置する水平固定部１３Ｃを形成する。これら固定部１３Ａ〜１３Ｃの何れかに脚部５を選択的に固定してスタンド部７に対する表示部１の取付角度を変える。【選択図】図３
2007114445.tif 000002
【特許請求の範囲】
【請求項１】
前面を表示面とする表示部と、前記表示部の下部に垂設した脚部と、この脚部を支持するスタンド部とを備えた表示装置において、前記スタンド部は、固定プレートと、この固定プレートを覆って該固定プレートを固定するカバーとから成り、前記固定プレートには、前記脚部を固定して少なくとも前記スタンド部に対して前記表示部の取付角度を可変する複数の固定部を設けたことを特徴とする表示装置。
【請求項２】
前記固定部が、前記スタンド部に対して前記表示部を前傾又は後傾とする傾斜面と、前記スタンド部に対して前記表示面を垂直とする水平固定部とで構成され、これら傾斜面と水平固定部とを前記固定プレートに並設し、前記表示部の取付角度に応じて前記水平固定部又は各傾斜面の何れかに前記脚部を選択的に固定して成ることを特徴とする請求項１記載の表示装置。
【請求項３】
前記固定部が、前記スタンド部に対して前記表示部を前傾又は後傾とする複数の傾斜基板と、前記スタンド部に対して前記表示面を垂直とする水平基板とから成り、これら各傾斜基板と水平基板は前記固定プレートに対して着脱自在に装着可能であって、前記表示部の取付角度に応じて前記各傾斜基板又は水平基板の何れかを前記固定プレートに固定したことを特徴とする請求１記載の表示装置。
【請求項４】
前記スタンド部に対して前記表示部を前傾又は後傾とする傾斜面を一体形成した複数の固定プレートと、前記スタンド部に対して前記表示面を垂直とする水平固定部を有する平板状の固定プレートとをそれぞれ個別に成形し、前記表示部の取付角度に応じて前記各固定プレートを前記カバーに固定したことを特徴とする請求項１記載の表示装置。
【発明の詳細な説明】
【技術分野】
【０００１】
本発明は、液晶パネルなどの表示面を有する表示部と、この表示部を支持するスタンド部とを備えた表示装置、特にスタンド部に対して表示部の取付角度を可変することが可能な表示装置に関する。
【背景技術】
【０００２】
近年、テレビジョン受像機やパソコンなどの表示装置として、ＰＤＰなどの薄型フラットパネル、例えば液晶パネルを用いた表示装置が広く普及してきている。このような液晶パネルを用いた表示装置は、表示部を支持するスタンドを備えている。このようなスタンドを備えた表示装置として従来から種々の構造が提案されており、例えば、特許文献１では、液晶パネルをフロントキャビネットとバックキャビネットとで覆うことで表示部を構成するとともに、この表示部を支持するスタンドに前記表示部を固定するブラケットを設け、このブラケットにスタンドの支柱を回動自在に枢着して表示部の取付角度を可変できるように構成した自立型ディスプレー装置が提案され、また、特許文献２には、特許文献１と同様、スタンドの支柱をスタンド部に回動自在に枢着するとともに、スタンドの底板部に前記表示部の角度を保持する係止手段を設けた液晶表示モニタが開示されている。
【０００３】
【特許文献１】特開平７−５６５１６号公報
【特許文献２】特開平１１−２５８５８０号公報
【発明の開示】
【発明が解決しようとする課題】
【０００４】
前記特許文献１、２のように表示部をスタンド部に枢着する表示装置においては、スタンド部に対して表示部の角度を自由に変えることができるが、近年、表示面の大型化により表示部の重量が増加する傾向にあり、特許文献１のように単に表示部をスタンド部に対して傾斜可能に枢着する構造においては、表示部の自重により該表示部が下方に傾いてしまいユーザの好みよって設定された表示部の取付角度が狂ってしまう虞れがあった。この点に関して特許文献２で示す液晶表示モニタにおいてはスタンド部に設けた係止手段で表示部を支持することで表示部の取付角度を安定的に保持することができるものの、構造が複雑化するとともに、前述したように大画面の表示部を係止手段で支持する構造では表示部の荷重が局部的に集中することから、係止手段によって重い表示部を支えることが困難となり、安定的に表示部を支持することが難しい、という課題が残る。
【０００５】
本発明は、上記課題に鑑みてなされたもので、ユーザの好みで表示部の傾きを変えることができるとともに、表示部の角度を安定した状態で保持することが可能な表示装置を提供することを目的とする。
【課題を解決するための手段】
【０００６】
本発明の請求項１の表示装置は、前面を表示面とする表示部と、前記表示部の下部に垂設した脚部と、この脚部を支持するスタンド部とを備えた表示装置において、前記スタンド部は、固定プレートと、この固定プレートを覆って該固定プレートを固定するカバーとから成り、前記固定プレートには、前記脚部を固定して少なくとも前記スタンド部に対して前記表示部の取付角度を可変する複数の固定部を設けたことを特徴とする。
【０００７】
請求項１の構成により、固定プレートに形成した複数の固定部の何れかに表示部の脚部を選択的に固定することによって、その固定部に応じて表示部の角度を変えることが可能となる。
【０００８】
本発明の請求項２の表示装置は、請求項１記載の表示装置において、前記固定部が、前記スタンド部に対して前記表示部を前傾又は後傾とする傾斜面と、前記スタンド部に対して前記表示面を垂直とする水平固定部とで構成され、これら傾斜面と水平固定部とを前記固定プレートに並設し、前記表示部の取付角度に応じて前記水平固定部又は各傾斜面の何れかに前記脚部を選択的に固定して成ることを特徴とする。
【０００９】
請求項２の構成により、水平固定部に脚部を固定すれば、表示部はスタンド部に対して垂直となり、後傾の傾斜面に脚部を固定すれば、表示部は傾斜面の傾斜によってスタンド部に対して後傾となる。さらに、前傾の傾斜面に脚部を固定すれば、表示部は傾斜面の傾斜によってスタンド部に対して前傾となる。
【００１０】
本発明の請求項３の表示装置は、請求項１記載の表示装置において、前記固定部が、前記スタンド部に対して前記表示部を前傾又は後傾とする複数の傾斜基板と、前記スタンド部に対して前記表示面を垂直とする水平基板とから成り、これら各傾斜基板と水平基板は前記固定プレートに対して着脱自在に装着可能であって、前記表示部の取付角度に応じて前記各傾斜基板又は水平基板の何れかを前記固定プレートに固定したことを特徴とする。
【００１１】
請求項３の構成により、固定プレートに水平基板を装着し、その水平基板に脚部を固定すれば表示部はスタンド部に対して垂直となり、後傾の傾斜基板を装着すれば、表示部は傾斜面の傾斜によってスタンド部に対して後傾となる。さらに、前傾の傾斜基板を装着すれば、表示部は傾斜面の傾斜によってスタンド部に対して前傾となる。
【００１２】
本発明の請求項４の表示装置は、請求項１記載の表示装置において、前記スタンド部に対して前記表示部を前傾又は後傾とする傾斜面を一体形成した複数の固定プレートと、前記スタンド部に対して前記表示面を垂直とする水平固定部を有する平板状の固定プレートとをそれぞれ個別に成形し、前記表示部の取付角度に応じて前記各固定プレートを前記カバーに固定したことを特徴とする。
【００１３】
請求項４の構成により、カバーに平板状の固定プレートを固定し、その固定プレートの水平固定部に脚部を固定すれば表示部はスタンド部に対して垂直となり、後傾の傾斜面を一体形成した固定プレートを固定すれば、表示部は傾斜面の傾斜によってスタンド部に対して後傾となる。さらに、前傾の傾斜面を一体形成した固定プレートを固定すれば、表示部は傾斜面の傾斜によってスタンド部に対して前傾となる。
【発明の効果】
【００１４】
本発明の請求項１の表示装置によれば、前面を表示面とする表示部と、前記表示部の下部に垂設した脚部と、この脚部を支持するスタンド部とを備えた表示装置において、前記スタンド部は、固定プレートと、この固定プレートを覆って該固定プレートを固定するカバーとから成り、前記固定プレートには、前記脚部を固定して少なくとも前記スタンド部に対して前記表示部の取付角度を可変する複数の固定部を設けたことにより、固定部の角度によってスタンド部に対する表示部の取付角度を簡単に変えることができるとともに、固定プレートに直接、脚部を固定することで表示部の自重によって表示面の角度が変わることなく、極めて安定的に支持することができる。
【００１５】
本発明の請求項２の表示装置によれば、請求項１記載の表示装置において、前記固定部が、前記スタンド部に対して前記表示部を前傾又は後傾とする傾斜面と、前記スタンド部に対して前記表示面を垂直とする水平固定部とで構成され、これら傾斜面と水平固定部とを前記固定プレートに並設し、前記表示部の取付角度に応じて前記水平固定部又は各傾斜面の何れかに前記脚部を選択的に固定したことによって、固定プレートに対して表示部を後傾又は前傾あるいは垂直の何れかの取付角度で選択的に固定することができる。
【００１６】
本発明の請求項３の表示装置によれば、請求項１記載の表示装置において、前記固定部が、前記スタンド部に対して前記表示部を前傾又は後傾とする複数の傾斜基板と、前記スタンド部に対して前記表示面を垂直とする水平基板とから成り、これら各傾斜基板と水平基板は前記固定プレートに対して着脱自在に装着可能であって、前記表示部の取付角度に応じて前記各傾斜基板又は水平基板の何れかを前記固定プレートに固定したことにより、固定プレートに固定した水平基板あるいは後傾又は前傾に傾斜した傾斜基板の何れに表示部の脚部を固定して表示部の取付角度を可変することができる。
【００１７】
本発明の請求項４の表示装置によれば、請求項１項に記載の表示装置において、前記スタンド部に対して前記表示部を前傾又は後傾とする傾斜面を一体形成した複数の固定プレートと、前記スタンド部に対して前記表示面を垂直とする水平固定部を有する平板状の固定プレートとをそれぞれ個別に成形し、前記表示部の取付角度に応じて前記各固定プレートを前記カバーに固定したことにより、カバーに固定した水平固定部を有する平板状の固定プレート又は後傾の傾斜面を一体形成した固定プレートあるいは前傾の傾斜面を一体形成した固定プレートの何れかに表示部の脚部を固定して表示部の取付角度を可変することができる。
【発明を実施するための最良の形態】
【００１８】
以下、本発明を実施するための最良の形態としての添付図面を参照して説明する。もちろん、本発明は、その発明の趣旨に反さない範囲で、実施例において説明した以外のものに対しても容易に適用可能なことは説明を要するまでもない。
【００１９】
図１〜図６は、本発明の実施例１を示し、図１は表示装置を正面側から見た斜視図、図２は表示装置を背面側から見た斜視図、図３は固定プレートの斜視図、図４は表示部の取付け前の状態を示す断面図、図５〜図７は表示部の取付角度を変更した状態を示し、図５は表示部を垂直に取付けた場合、図６は表示部を後傾に取付けた場合、図７は表示部を前傾に取付けた場合を示している。同図において、符号１は表示部であり、液晶パネル２と、この液晶パネル２を収納するキャビネット３で構成されている。キャビネット３は前後に分割したフロントキャビネット３ａとリアキャビネット３ｂに分割され、フロントキャビネット３ａには前記液晶パネル２の表示面２ａを露出する表示窓４を形成するとともに、リアキャビネット３ｂの下部には、左右一対の脚部５を取り付ける段部６が形成されている。
【００２０】
前記表示部１を支持するスタンド部７は前記脚部５を固定する金属から成る平板状の固定プレート１０と、この固定プレート１０を覆うカバー１１とから構成されている。前記固定プレート１０には、前記スタンド部７に対して前記表示部１が後傾となる固定部１３Ａと、前記表示部１が前傾となる固定部１３Ｂ及び前記スタンド部７に対して前記表示部１が垂直となる水平固定部１３Ｃが形成され、これら固定部１３Ａ〜１３Ｃの何れかに脚部５を選択的に固定することによって、前記スタンド部７に対する前記表示部１の取付角度を可変することが可能である。なお、図中、符号１９は前記カバー１１に形成した脚部５を通すための貫通孔、符号２０は前記固定プレート１０の表裏を識別するための確認用凹部である。
【００２１】
次に各固定部１３Ａ〜１３Ｃについて説明する。固定プレート１０は、プレス加工などによって固定部１３Ａ,１３Ｂを成形する。固定部１３Ａは前記固定プレート１０から後ろ向きに突出して傾斜させた傾斜面１４Ａから成り、固定部１３Ｂは逆に固定プレート１０から前向きに陥没して傾斜させた傾斜面１４Ｂから成る。また、水平固定部１３Ｃは固定プレート１０と同一平面上に位置する。これら固定部１３Ａ〜１３Ｃには固定手段としてのねじ１５を挿通する挿通孔１６がそれぞれ形成され、いずれかの固定部１３Ａ〜１３Ｃの挿通孔１６に前記固定プレート１０の下方からねじ１５を挿通し、そのねじ１５を脚部５に螺着した後、前記カバー１１に固定プレート１０を水平に固定する。これにより、スタンド部７に表示部１を固定する。この時、図５（ａ）に示すように水平固定部１３Ｃに脚部５を固定すれば、表示部１はスタンド部７に対して垂直となる。また、図６（ａ）に示すように固定部１３Ａの傾斜面１４Ａに脚部５を固定すれば、表示部１は傾斜面１４Ａの傾斜によってスタンド部７に対して後傾となり、図７（ａ）に示すように固定部１３Ｂの傾斜面１４Ｂに脚部５を固定すれば、表示部１は傾斜面１４Ｂの傾斜によってスタンド部７に対して前傾となる。なお、スタンド部７に対して表示部１を垂直と固定する場合、図５（ｂ）に示すように、水平固定部１３Ｃの位置はカバー１１のほぼ中央位置である。そして、表示部１を後傾に固定する場合は、カバー１１に固定する固定プレート１０は、図５（ａ）の状態から時計方向に回転させ、図６（ｂ）で示すように傾斜面１４Ａをカバー１１のほぼ中央に配置して固定する。さらに、表示部１を前傾に固定する場合は、図６（ｂ）の状態から固定プレート１０を裏返しに反転させ、図７（ｂ）で示すように、傾斜面１４Ｂをカバー１１のほぼ中央に配置して固定する。この時、固定プレート１０に形成する確認用凹部２０によってカバー１１に固定する固定プレート１０の向きを容易に確認することが可能である。
【００２２】
以上のように、本実施例によれば、固定プレート１０に後方に傾斜した傾斜面１４Ａから成る固定部１３Ａと前方に傾斜した傾斜面１４Ｂから成る固定部１３Ｂ及び水平固定部１３Ｃを固定プレート１０と同一平面上に形成し、これら固定部１３Ａ〜１３Ｃの何れかに脚部５を選択的に固定することによって、前記スタンド部７に対する前記表示部１の取付角度を簡単に変えることができる。また、固定プレート１０に直接、脚部５をねじ１５によって固定することで表示部１を極めて安定的に支持することができる。したがって、表示部１の大画面化によって表示部１の重量が増大したとしても、スタンド部７に対して表示部１の角度が自重によって変わってしまう心配はなく、極めて安定した状態で表示部１の角度を保つことができる。しかも、プレス加工などによって２つの傾斜面１４Ａ,１４Ｂと水平固定部１３Ｃを固定プレート１０に形成した簡易な構造であるから、製造コストを低減することができる。また、本実施例においては、固定プレート１０に確認用凹部２０を形成することによって、カバー１１に固定プレート１０を固定する際、スタンド部７に対して固定部１３Ａ〜１３Ｃの形成位置を把握するための目安としており、カバー１１に対する固定プレートの取り付けが容易にできる。
【００２３】
図８は本発明の第２実施例を示す固定プレートと水平基板及び傾斜基板の分解斜視図を示しており、前記第１実施例と同一機能を有する部分には同一符号を付し、重複する部分の説明を省略し、異なる部分についてのみ説明する。
【００２４】
前記実施例１においては、固定プレート１０を回転又は反転させてカバー１１の所定位置に固定部１３Ａ〜１３Ｃを配置した例を示したが、本実施例においては、図８に示すように、水平基板２１とそれぞれ傾斜角度の異なる２枚の傾斜基板２２Ａ,２２Ｂを成形し、その３種類の基板２１,２２Ａ,２２Ｂを表示部１の取付角度に応じて固定プレート１０に着脱自在に装着する。前記各傾斜基板２２Ａ,２２Ｂは、それぞれ取付座２３,２４に表示部１の取付角度に対応する傾斜面２５,２６を一体形成して成り、水平基板２１は取付座２３,２４と外形寸法が同じ平坦な矩形状を成す。これら各基板２１,２２Ａ,２２Ｂを固定する固定プレート１０の取付位置には、開口部２７が形成されるとともに、該開口部２７の周縁部に位置して前記水平基板２１と各傾斜基板２２Ａ,２２Ｂの取付座２３,２４と嵌合する一段低い段差部２８が形成されている。なお、前記一方の傾斜基板２２Ａの傾斜面２５の傾斜角は、他方の傾斜基板２２Ｂの傾斜面２６より大きく設定されている。
【００２５】
以上のように構成される本実施例においては、表示部１をスタンド部７に対して垂直とするには、水平基板２１を固定プレート１０の段差部２８に装着してねじ止めし、その水平基板２１に脚部５を固定する。一方、表示部１をスタンド部７に対して前傾とする場合、各傾斜基板２２Ａ,２２Ｂの何れか一方の取付座２３,２４を固定プレート１０の段差部２８に装着してねじ止めする。すなわち、表示部１の角度を大きく設定したい場合、傾斜基板２２Ａを固定プレート１０に固定し、その傾斜面２５に脚部５を固定し、それより表示部１の角度を小さく設定したい場合には角度が緩やかな傾斜基板２２Ｂを固定プレート１０に固定してその傾斜面２６に脚部５を固定する。また、表示部１をスタンド部７に対して後傾とする場合、固定プレート１０に固定した傾斜基板２２Ａ又は傾斜基板２２Ｂの向きを回転または裏返しに反転させて、その傾斜面２５,２６の何れか一方に脚部５を固定すればよい。
【００２６】
以上のように、本実施例においては、固定プレート１０に対して着脱自在に固定する水平基板２１、傾斜基板２２Ａ,２２Ｂを形成し、固定プレート１０に水平基板２１又は傾斜基板２２Ａ,２２Ｂの何れかを固定することによって、前記第１実施例と同様、固定プレート１０に選択的に取り付けた水平基板２１又は傾斜基板２２Ａ,２２Ｂによって表示部１の取付角度を可変することができる。
【００２７】
図９は本発明の第３実施例を示す固定プレートの斜視図を示しており、前記各実施例と同一機能を有する部分には同一符号を付し、重複する部分の説明を省略し、異なる部分についてのみ説明する。
【００２８】
前記第２実施例においては、共通した固定プレート１０に対してそれぞれ表示部１の取付角度に応じた水平基板２１、傾斜基板２２Ａ,２２Ｂを形成し、これを固定プレート１０に固定した例を示したが、本実施例では、水平固定部２９を有する平板状の固定プレート３０と、後方に向かって傾斜させた傾斜面３１を一体形成する固定プレート３２、その固定プレート３２の傾斜面３１より緩やかに傾斜させた傾斜面３３を一体形成する固定プレート３４、前方に向かって傾斜した傾斜面３５を形成した固定プレート３６の４種類の固定プレート３０,３２,３４,３６をそれぞれ個別に形成している。このように、４種類の固定プレート３０,３２,３４,３６を形成し、その一つをカバー１１に選択に固定し、その固定プレート３０,３２,３４,３６に形成する水平固定部２９又は傾斜面３１,３３,３５の何れかに表示部１の脚部５を固定することによって、前記各実施例と同様、表示部１の取付角度を可変することができる。
【００２９】
以上、本発明の各実施例について詳述したが、本発明は前記実施例に限定されるものではなく、本発明の要旨の範囲内で種々の変形実施が可能である。例えば前記第１実施例においては、固定プレート１０に後傾の傾斜面１４Ａから成る固定部１３Ａと前傾の傾斜面１４Ｂから成る固定部１３Ｂと水平固定部１３Ｃを形成した例を示したが、例えば図１０に示すように、これら傾斜面１４Ａ,１４Ｂと水平固定部１３Ｃに加えてさらに傾斜面１４Ｄを有する固定部１３Ｄを形成して表示部の角度を変更するように構成してもよい。
【図面の簡単な説明】
【００３０】
【図１】本発明の実施例１を示す表示装置を正面側から見た斜視図である。
【図２】同上、表示装置を背面側から見た斜視図である。
【図３】同上、固定プレートの斜視図である。
【図４】同上、表示部の取付け前の状態を示す断面図である。
【図５】同上、表示部を垂直に取付けた場合を示し、図５（ａ）は断面図、図５（ｂ）は底面図である。
【図６】同上、表示部を後傾に取付けた場合を示し、図６（ａ）は断面図、図６（ｂ）は底面図である。
【図７】同上、表示部を前傾に取付けた場合を示し、図７（ａ）は断面図、図７（ｂ）は底面図である。
【図８】本発明の実施例２を示す固定プレートと水平基板及び傾斜基板の分解斜視図である。
【図９】本発明の実施例３を示す固定プレートの斜視図である。
【図１０】本発明の固定プレートの変形実施例を示す斜視図である。
【符号の説明】
【００３１】
１  表示部
２  液晶パネル
５  脚部
７  スタンド部
１０,３０,３２,３４,３６  固定プレート
１１  カバー
１２  ねじ（固定手段）
１３Ａ,１３Ｂ,１３Ｄ  固定部
１３Ｃ,２９  水平固定部
２１  水平基板
２２Ａ,２２Ｂ  傾斜基板
２３,２４  取付座
１４Ａ,１４Ｂ,１４Ｄ,２５,２６,３１,３３,３５  傾斜面
【図１】
2007114445.tif 000003
【図２】
2007114445.tif 000004
【図３】
2007114445.tif 000005
【図４】
2007114445.tif 000006
【図５】
2007114445.tif 000007
【図６】
2007114445.tif 000008
【図７】
2007114445.tif 000009
【図８】
2007114445.tif 000010
【図９】
2007114445.tif 000011
【図１０】
2007114445.tif 000012